(57)【要約】【課題】本発明は、ペットボトルや水筒、又は清涼飲料水や酒類等を入れたビン等のキャップホルダに関し、特にホルダ内に貴陽石を内蔵するキャップホルダに関する。【解決手段】本発明は貴陽石を内蔵するキャップホルダを提案し、上記ペットボトル等のキャップに取り付け、又はキャップを外してペットボトル等に直接取り付け、例えば粒状の貴陽石を通してマイナスイオンを体内に取り込むことを可能とした貴陽石を内蔵するキャップホルダを提供するものである。【選択図】　　　図１
2004136955.tif 000002
【特許請求の範囲】
【請求項１】
一体形成されたホルダと、該ホルダの内周に設けられた溝に固定されたインナーキャップと、該インナーキャップと前記ホルダの内周に囲繞された貴陽石収納部とを有し、
該貴陽石収納部には粒状の貴陽石が収納されていることを特徴とする貴陽石を内蔵するキャップホルダ。
【請求項２】
前記ホルダの一方には容器を取り付ける容器取付部が形成され、前記ホルダの他方には前記容器から外されたキャップを取り付けるキャップ取付部が形成されていることを特徴とする請求項１記載の貴陽石を内蔵するキャップホルダ。
【請求項３】
前記粒状の貴陽石は、球形に加工されていることを特徴とする請求項１、又は２記載の貴陽石を内蔵するキャップホルダ。
【発明の詳細な説明】
【０００１】
【発明の属する技術分野】
本発明は、ペットボトルや水筒、又は清涼飲料水や酒類等を入れたビン等のキャップホルダに関し、特にホルダ内に貴陽石を内蔵するキャップホルダに関する。
【０００２】
【従来の技術】
今日、コンビニエンスストアやスーパ等の店舗、或いは自動販売機等で販売されている清涼飲料水、酒類等はペットボトルやビン等の容器に入れて販売されている。そして、これらの容器の口にはネジ込み式、又は圧入式のキャップが使用され、店舗でこれらの商品を購入した人は、キャップを外して清涼飲料水を飲む。
【０００３】
一方、最近約６５００万年前の地殻変動に伴う高温熱水作用によって形成された貴陽石が健康素材として注目を集めている。この貴陽石は、自然界のエネルギーを一点に凝縮した鉱物であり、マイナスイオンの発生量が他の鉱物より圧倒的に多く、また常温で遠赤外線の放射作用もある（例えば、特許文献１）。この特許文献１では、エンジンにおける燃焼性の向上に関する。
【０００４】
【特許文献１】
特開２００２−１４７２９４公報
【０００５】
【発明が解決しようとする課題】
そこで、本発明は貴陽石を内蔵するキャップホルダを提案し、例えばキャップを外してペットボトルに直接取り付け、粒状の貴陽石を通してマイナスイオンを体内に取り込むことを可能とした貴陽石を内蔵するキャップホルダを提供するものである。
【０００６】
【課題を解決するための手段】
上記課題は請求項１記載の発明によれば、一体形成されたホルダと、該ホルダの内周に設けられた溝に固定されたインナーキャップと、該インナーキャップと前記ホルダの内周に囲繞された貴陽石収納部とを有し、該貴陽石収納部には粒状の貴陽石が収納されている貴陽石を内蔵するキャップホルダを提供することによって達成できる。
【０００７】
このように構成することにより、例えば清涼飲料水が入ったペットボトル等の容器の口に本発明のキャップホルダを取り付け、清涼飲料水を飲むことによってマイナスイオンを体内に取り込むことができる。
【０００８】
請求項２の記載は、上記請求項１記載の発明において、前記ホルダの一方には容器を取り付ける容器取付部が形成され、前記ホルダの他方には前記容器から外されたキャップを取り付けるキャップ取付部が形成されている構成である。
【０００９】
このように構成することにより、ペットボトル等に本発明のキャップホルダを取り付け、貴陽石を通した飲料を体内に取り込むことができ、更にキャップホルダにキャップすることもできる。
【００１０】
請求項３の記載は、上記請求項１、又は２の記載において、前記粒状の貴陽石は、球形に加工されている構成である。
このように構成することにより、貴陽石収納部に多数収納された球形の貴陽石を通して飲料が流れ、より効率よく貴陽石に含まれるマイナスイオンを吸収することができる。
【００１１】
【発明の実施の形態】
以下、本発明の実施の形態を図面を参照しながら説明する。
図１は、本実施形態を説明するキャップホルダの外観図であり、内部に粒状に加工された貴陽石が収納されている。
【００１２】
同図において、キャップホルダ１はキャップ取付部１ａ、貴陽石収納部１ｂ、ホルダ取付部１ｃで構成されている。キャップ取付部１ａは、ペットボトルから外したキャップを取り付ける部分であり、例えば店舗で購入したペットボトルのキャップを外し、本例のキャップホルダ１をペットボトルに取り付けた後、キャップホルダ１の口を塞ぐ為のキャップ取付部である。
【００１３】
貴陽石収納部１ｂは、後述する粒径に加工された多数の粒状貴陽石を収納する部分であり、具体的な構成は後述する。また、ホルダ取付部１ｃはペットボトルからキャップを外し、ペットボトルの口に本例のキャップホルダ１を取り付ける為の箇所である。尚、ねじ込み式である為、ホルダ取付部１ｃの周面には凸状の握持手段２が形成されている。
【００１４】
図２は上記外観構成のキャップホルダ１の断面図である。上記のように貴陽石収納部１ｂには粒状に加工された多数の貴陽石が収納されている。この貴陽石の加工は、貴陽石の原石を破砕して粉末にした後、所定の大きさ（例えば、直径２ｍｍ）の球形に焼結したものである。
【００１５】
この粒状貴陽石はキャップホルダ１内に形成された貴陽石収納部１ｂに詰められ、インナーキャップ３とキャップホルダ１の内周に囲繞される。ここで、インナーキャップ３は前述のホルダ取付部１ｃの内周上部に形成された溝５に圧入固定されている。
【００１６】
図３は本例のキャップホルダ１を上方から視た図であり、キャップ取付部１ａの構造を説明する図である。キャップ取付部１ａはキャップホルダ１と一体構成であり、メッシュ７が形成されている。
【００１７】
また、前述のインナーキャップ３もメッシュ構造であり、一体形成されたキャップホルダ１に粒状貴陽石を入れ、インナーキャップ３を溝に圧入することによって、貴陽石収納部１ｂに粒状貴陽石を収納することができる。
【００１８】
尚、本例で使用するキャップホルダ１の形状は図２及び図３に示す通りである。例えば、キャップホルダ１の長さは４０ｍｍであり、キャップ取付部１ａの外径は２７．２ｍｍであり、ホルダ取付部１ｃの外径は３９ｍｍである。
【００１９】
また、本例で使用するキャップホルダ１の材料は、抗菌ポリプロピレンが使用され、前述のように一体構成のキャップホルダ１にインナーキャップ３を使用するだけの構造である。
【００２０】
図４は上記構成のキャップホルダ１をペットボトルに装着した例を示す図である。同図に示すように、ペットボトル８には本例のキャップホルダ１が装着され、ペットボトル８に予め形成されたねじ込み部にキャップホルダ１のホルダ取付部１ｃに形成されたネジ部を締着し、ペットボトル８にキャップホルダ１が取り付けられている。
【００２１】
以上のように、本例によればペットボトルにキャップホルダ１を取り付けペットボトルに収納された清涼飲料水を飲むことができ、キャップホルダ１に内蔵された粒状貴陽石を通って清涼飲料水を体内に取り込むことができる。
【００２２】
このように構成することにより、貴陽石に含まれるマイナスイオンが体内に取り込まれ、貴陽石の持つ自然界のエネルギーを体内に取り込むことができる。
尚、本例において、粒状貴陽石の粒径を２ｍｍとしたが、上記粒径に限るわけではなく、他の粒径の貴陽石に加工したものを使用してもよい。また、粒状貴陽石は必ずしも球形である必要はない。
【００２３】
また、前述のキャップホルダ１の大きさも前述の例に限るものではなく、他の大きさのキャップホルダを使用してもよい。
また、図４において、本例のキャップホルダ１をペットボトル８に適用した例について説明したが、ペットボトルに限らずビンや水筒に適用するように構成してもよい。
【００２４】
【発明の効果】
以上説明したように、本発明によれば、マイナスイオンを多量に含み、常温で遠赤外線の放射作用もある貴陽石をペットボトル等の口に装着し、清涼飲料水等の飲料を貴陽石を通して口にすることにより、貴陽石の持つ自然界のエネルギーを体内に取り込むことができる。
【図面の簡単な説明】
【図１】本実施形態を説明するキャップホルダの外観図である。
【図２】キャップホルダの断面図である。
【図３】キャップホルダを上方から視た図である。
【図４】本実施形態のキャップホルダをペットボトルに適用した例を示す図である。
【符号の説明】
１　　　キャップホルダ
１ａ　　　キャップ取付部
１ｂ　　　貴陽石収納部
１ｃ　　　ホルダ取付部
２　　　握持手段
３　　　インナーキャップ
５　　　溝
７　　　メッシュ
８　　　ペットボトル
【図１】
2004136955.tif 000003
【図２】
2004136955.tif 000004
【図３】
2004136955.tif 000005
【図４】
2004136955.tif 000006